(57)【特許請求の範囲】
【請求項１】
各極の隣接する端子を段違いに配置した段違い端子部と、
前記端子間を隔てる端子間隔壁と、
両端の段違い端子部の外側に形成された横側壁とを備えた開閉器を、
一方の開閉器と他方の開閉器との間で隣接する段違い端子部の高さ位置が、略同一となるよう隣接配置した開閉器の端子間構造であって、
同一開閉器内の端子間距離（Ｘ）よりも、
一方の開閉器と他方の開閉器との間で隣接する端子間距離（Ｙ）を、幅広に形成したことを特徴とする開閉器の端子間構造。
【請求項２】
一方の開閉器の横側壁幅と、他方の開閉器の横側壁幅との合計幅が、
端子間隔壁幅よりも幅広であることを特徴とする請求項１記載の開閉器の端子間構造。
【請求項３】
一方の開閉器の横側壁幅が、端子間隔壁幅と同幅であることを特徴とする請求項２記載の開閉器の端子間構造。
【請求項４】
一方の開閉器の横側壁幅が、端子間隔壁幅よりも幅広であることを特徴とする請求項２記載の開閉器の端子間構造。
【請求項５】
筐体は、上方ケースと、前記段違い端子部が固定される下方ケースとからなる２分割構造とし、
該上方ケースと該下方ケースの双方に、前記横側壁を形成した上で、双方の横側壁を互いに当接させて前記筐体の横側面を構成するとともに、
前記端子間隔壁を、前記上方ケースまたは前記下方ケースの何れか一方から、他方のケースに向けて突出形成したことを特徴とする請求項１に記載の開閉器の端子間構造。
【発明の詳細な説明】
【技術分野】
【０００１】
本発明は、回路遮断器や漏電遮断器等の開閉器を、複数隣接配置した際の端子間構造（開閉器の並列配置構造）に関するものである。
【背景技術】
【０００２】
回路遮断器や漏電遮断器等の開閉器は、上方ケースと下方ケースとに２分割される筐体と、下方ケースに固定され、電源側と負荷側とにそれぞれ複数設けられた端子部とを備えており、この下方ケースの開口部を覆うように、上方ケースが取付けられる。また、特許文献１のように、上方ケースと下方ケースの双方からは、各極の隣接する端子間を隔てる端子間隔壁が、他方のケースに向けて突出形成されている。さらに、上方ケースと下方ケースにはそれぞれ横側壁が形成されている。そして、双方の端子間隔壁を接合して端子間の絶縁距離を確保するとともに、双方の横側壁を当接させてケースの組立を行うことで、筐体の側面が構成される。
【０００３】
このとき、図５に示すように、開閉器５１ａの横側壁５２は、端子間隔壁５３よりも幅狭に、詳しくは略半分となるよう形成される。これにより、同形状の開閉器５１ａ、５１ｂを隣接配置した際に、同一開閉器内の隣接する端子間距離（Ｘ）と、一方の開閉器５１ａと他方の開閉器５１ｂとの間で隣接する端子部５４ａ、５４ｂの端子間距離（Ｙ）とが同幅となり、端子間距離がどの箇所においても同幅、即ちＸ＝Ｙの関係が成立するものとして、絶縁距離を確保するとともに景観が良いものとしている。
【０００４】
以上のように構成された開閉器を小型化する際には、その筐体幅を小さくするために端子間隔壁が幅狭に形成されるとともに、端子間の絶縁距離を確保することや端子部への電線の接続が容易となるように、隣接する端子を上下方向に段違いに配置した段違い端子部が設けられる。
【０００５】
しかしながら、図６のように、段違い端子部を設けた上で、端子間隔壁６３を幅狭に形成した場合でも、前述したＸ＝Ｙの関係性を保持するために、横側壁６２も同様に幅狭に形成することが通常である。したがって、複数の開閉器６１ａ、６１ｂを隣接配置した際には、特に一方の開閉器６１ａと他方の開閉器６１ｂとの間で隣接する段違い端子部６４ａ、６４ｂが略同一の高さ位置となる場合において、端子間距離（Ｙ）が短くなり、絶縁距離を充分に確保できない問題があった。
【先行技術文献】
【特許文献】
【０００６】
【特許文献１】特開２００９−４３５１７号公報
【発明の概要】
【発明が解決しようとする課題】
【０００７】
本発明の目的は前記した従来の問題点を解決し、段違い端子部を設けた開閉器を複数隣接配置した際に、両開閉器間で隣接する段違い端子部が略同一の高さ位置となる場合においても、端子間の充分な絶縁距離を確保可能とした開閉器の端子間構造を提供することである。
【課題を解決するための手段】
【０００８】
上記課題を解決するためになされた本発明は、各極の隣接する端子を段違いに配置した段違い端子部と、前記端子間を隔てる端子間隔壁と、両端の段違い端子部の外側に形成された横側壁とを備えた開閉器を、一方の開閉器と他方の開閉器との間で隣接する段違い端子部の高さ位置が、略同一となるよう隣接配置した開閉器の端子間構造であって、同一開閉器内の端子間距離（Ｘ）よりも、一方の開閉器と他方の開閉器との間で隣接する端子間距離（Ｙ）を、幅広に形成したことを特徴とするものである。
【０００９】
請求項２記載の発明は、請求項１記載の開閉器の端子間構造において、一方の開閉器の横側壁幅と、他方の開閉器の横側壁幅との合計幅が、端子間隔壁幅よりも幅広であることを特徴とするものである。
【００１０】
請求項３記載の発明は、請求項２記載の開閉器の端子間構造において、一方の開閉器の横側壁幅が、端子間隔壁幅と同幅であることを特徴とするものである。
【００１１】
請求項４記載の発明は、請求項２記載の開閉器の端子間構造において、一方の開閉器の横側壁幅が、端子間隔壁幅よりも幅広であることを特徴とするものである。
【００１２】
請求項５記載の発明は、請求項１に記載の開閉器の端子間構造において、筐体は、上方ケースと、前記段違い端子部が固定される下方ケースとからなる２分割構造とし、該上方ケースと該下方ケースの双方に、前記横側壁を形成した上で、双方の横側壁を互いに当接させて前記筐体の横側面を構成するとともに、前記端子間隔壁を、前記上方ケースまたは前記下方ケースの何れか一方から、他方のケースに向けて突出形成したことを特徴とするものである。
【発明の効果】
【００１３】
本発明に係る開閉器の端子間構造は、同一開閉器内で隣接する端子間距離（Ｘ）よりも、一方の開閉器と他方の開閉器との間で隣接する端子間距離（Ｙ）を、幅広に形成するものとした。これにより、段違い端子部を設けた開閉器を複数隣接配置した際に、両開閉器間で隣接する段違い端子部が略同一の高さ位置となる場合においても、端子間の充分な絶縁距離を確保可能となる。
【００１４】
請求項２に係る発明のように、一方の開閉器の横側壁幅と、他方の開閉器の横側壁幅との合計幅が、端子間隔壁幅よりも幅広とすれば、同一開閉器内で隣接する端子間距離（Ｘ）よりも、一方の開閉器と他方の開閉器との間で隣接する端子間距離（Ｙ）を幅広に形成することが可能となり、充分な絶縁距離を確保できる。
【００１５】
また、請求項３に係る発明のように、一方の開閉器の横側壁幅を、端子間隔壁幅と同幅に形成すれば、隣接配置される他方の開閉器が同形状のものであれば、Ｘ＜Ｙの関係性を保持することが可能となる。さらに、請求項４に係る発明のように、一方の開閉器の横側壁幅を、端子間隔壁幅よりも幅広に形成すれば、隣接配置される他方の開閉器の横側壁幅が幅狭であっても、Ｘ＜Ｙの関係性を保持することが可能となる。
【００１６】
請求項５に係る発明のように、上方ケースまたは下方ケースの何れか一方から、隣接する端子間を隔てる端子間隔壁を他方のケースに向けて突出形成するものとすれば、段違い端子部を設けた場合でも、一方のケースのみから端子間隔壁を突出形成することで、従来のような双方のケースから突出形成した端子間隔壁の接合部がなくなるため、端子間の充分な絶縁距離を確保可能となる。また、上方ケースと下方ケースとに横側壁を形成した上で、双方の横側壁を互いに当接させて筐体の横側面を構成するものとした。これにより、双方のケースの横側壁の端部を合わせることにより、外部端子との絶縁距離を確保することが可能になる他、使用者の指が外側から滑り込み、段違い端子部に触れることを防止することもできる。さらに、上方ケースと下方ケースとの組立時の位置決めが容易に可能となり、即ち、組立性が損なわれることがないものとなる。
【図面の簡単な説明】
【００１７】
【図１】本実施形態の開閉器を示す斜視図である。
【図２】本実施形態の開閉器を示す正面図である。
【図３】上方ケースと下方ケースとの組立時を示す斜視図である。
【図４】本実施形態の開閉器を複数隣接配置した際の正面図である。
【図５】従来の開閉器を複数隣接配置した際の正面図である。
【図６】筐体幅を小さくした従来の開閉器を、複数隣接配置した際の正面図である。
【発明を実施するための形態】
【００１８】
前後方向、左右方向、上下方向とは、図１に示す方向を各々指すものとして、上下方向は上方ケース３、下方ケース４方向を示し、前後方向は開閉器１の長手方向の両端部に形成した段違い端子部６、６方向を示し、左右方向は開閉器１の幅方向を示すものである。以下に本発明の好ましい実施形態を示す。
図１に示す開閉器１は、上方ケース３と下方ケース４とに２分割される筐体２を備えている。この下方ケース４には、開閉を行う操作ハンドルを備えた機構部５と、電源側と負荷側とにそれぞれ３個ずつ、上下方向に段違いに配置された段違い端子部６が固定されており、下方ケース４の開口部を覆うように、上方ケース３が取付けられる。上方ケース３と下方ケース４は、双方に形成されたネジ孔部７、７にネジを挿通することにより固定される。なお、このネジ孔部７は、筐体２の四隅に形成するものとし、少なくとも一方の対角にあるネジ孔部７を、双方のケースの固定のために使用し、他方の対角にあるネジ孔部７を、例えば、図示しない取付板の取付ネジを挿通するために使用することもできる。
【００１９】
図２のように、各極の隣接する段違い端子部６ａ、６ｂは上下方向に段違いに配置され、本実施形態においては、中央の段違い端子部６ａを左右の段違い端子部６ｂ、６ｂよりも高い位置に設けるものとし、さらに左右の段違い端子部６ｂ、６ｂは略同一の高さに設けるものとした。
【００２０】
図３のように、下方ケース４からは、隣接する段違い端子部６ａ、６ｂの端子間を隔てる端子間隔壁８を、上方ケース３に向けて、即ち上方向に突出形成するものとした。これにより、段違い端子部６ａ、６ｂを設けた場合でも、下方ケース４から端子間隔壁８を突出形成することで、従来のような上方ケース及び下方ケースの双方から突出形成した端子間隔壁の接合部がなくなるため、接合部を介して絶縁破壊されることを防止し、同一開閉器内での段違い端子部６ａ、６ｂの端子間の充分な絶縁距離を確保可能となる。なお、本実施形態においては、下方ケース４から上方ケース３に向けて端子間隔壁８を突出形成するものとして説明するが、上方ケース３に端子間隔壁８を突出形成し、下方ケース４にこの端子間隔壁８が係合する凹部を形成するものであっても良く、この場合でも端子間隔壁８の接合部がなくなるように形成するものである。
【００２１】
左右の段違い端子部６ｂ、６ｂの両端には横側壁９が形成されており、さらに上方ケース３の横側壁９ａと下方ケース４の横側壁９ｂとを互いに当接させることにより、筐体２の横側面を構成するものとした。これにより、双方のケースの横側壁９ａ、９ｂの端部を合わせることで、外部端子との絶縁距離を確保することが可能になる他、使用者の指が外側から滑り込み、左右の段違い端子部６ｂ、６ｂに触れることを防止することもできる。さらに、上方ケース３と下方ケース４との組立時の位置決めが容易に可能となり、組立性が損なわれることもない。なお、従来は、端子間隔壁８にネジ孔部７を形成するものであるが、本実施形態においては、横側壁９ａ、９ｂに沿った位置で、段違い端子部６ｂよりも筐体２内側に形成するものとし、端子間隔壁８の幅を小さくすることを可能としているものである。
【００２２】
以上のように構成された開閉器１ａに対し、図４に示すように同形状の開閉器を隣接配置した場合について（以下、隣接開閉器１ｂ）、説明する。図４のように、開閉器１ａの右端の段違い端子部６ｂと、隣接開閉器１ｂの左端の段違い端子部６ｄとが隣接しており、両者は略同一の高さ位置となるよう配置されている。この場合において、同一開閉器１ａ内で隣接する段違い端子部６ａ、６ｂの端子間距離（Ｘ）よりも、開閉器１ａと隣接開閉器１ｂとの間で隣接する段違い端子部６ｂ、６ｄの端子間距離（Ｙ）を、幅広に形成するものとした。なお、隣接開閉器１ｂ内で隣接する段違い端子部６ｃ、６ｄの端子間距離もＸである。これにより、段違い端子部６を設けた開閉器１ａに対して、隣接開閉器１ｂを並列配置した際には、両開閉器１ａ、１ｂ間で隣接する段違い端子部６ｂ、６ｄが略同一の高さ位置となるが、Ｘ＜Ｙの関係性により、端子間の充分な絶縁距離を確保可能となる。
【００２３】
図４のように、前述したＸ＜Ｙの関係性を成立させるために、開閉器１ａの横側壁幅（Ａ）と、隣接開閉器１ｂの横側壁幅（Ｂ）との合計幅が、端子間隔壁幅（Ｃ）よりも幅広となるよう形成するものとした。即ち、Ｃ＜Ａ＋Ｂとすることにより、Ｘ＜Ｙの関係を成立させることができる。さらに、本実施形態のように、開閉器１ａの横側壁幅（Ａ）を、端子間隔壁幅（Ｃ）と同幅に形成すれば、隣接開閉器１ｂが同形状のものであれば、Ｃ＝Ａ＝Ｂとなり、これによりＣ＜Ａ＋Ｂとなり、自ずとＸ＜Ｙの関係性を保持することが可能となる。なお、上記の実施形態においては開閉器１ａと隣接開閉器１ｂを密着したものとして説明したが、開閉器１ａと隣接開閉器１ｂとの間に空隙を持たせて配置するものであっても良い。その場合、開閉器１ａの横側壁幅（Ａ）と、隣接開閉器１ｂの横側壁幅（Ｂ）とを合わせ、更に、開閉器１ａと隣接開閉器１ｂとの間に空隙を持つことになるので、Ｘ＜Ｙの関係性を保持することができ、開閉器１ａと隣接開閉器１ｂとの間で隣接する段違い端子部６ｂ、６ｄの絶縁距離を確保可能となるものである。
【００２４】
なお、開閉器１ａの横側壁幅（Ａ）を、端子間隔壁幅（Ｃ）よりも幅広に形成すれば、隣接開閉器１ｂが開閉器１ａと別形状であり、特に隣接開閉器１ｂの横側壁幅（Ｂ）が幅狭である場合でも、Ｃ＜Ａ＋Ｂの関係性を成り立たせることができ、Ｘ＜Ｙの関係性を保持することが可能となる。
【００２５】
図３に示すように、下方ケース４の横側壁９ｂの上面には、上方に突出形成した凸部１０を筐体２の長手方向に沿って設けるものとし、さらに上方ケース３の横側壁９ａの下面には、この凸部１０が嵌合する凹部１１を、同様に筐体２の長手方向に沿って設けるものとした。これにより、凸部１０と凹部１１とを嵌合させることで位置決めが容易に可能となるものとした。また、凸部１０及び凹部１１を筐体２の長手方向に沿って形成したことにより、複数の開閉器１ａ、１ｂを隣接配置した場合において、絶縁距離をより長く確保することができる効果を有することとなる。なお、凸部１０を下方ケース４に形成し、凹部１１を上方ケース３に形成しているものであるが、凸部１０を上方ケース３に形成し、凹部１１を下方ケース４に形成するものであっても良いものである。
【００２６】
図３のように、上方ケース３には、端子間隔壁８が係合する係合部を形成することが好ましく、これにより、上方ケース３と下方ケース４との組立時の位置決めが容易となると同時に、組立後は上方ケース３が移動してずれることがないよう規制することができる。係合部は、上方ケース３の前側壁１２、及び図示しない後側壁に形成するものとし、端子間隔壁８には、この前側壁１２及び後側壁と係合する段部１３を形成するものとした。これにより、段部１３が前側壁１２及び後側壁と当接することで、上方ケース３が下方ケース４に対して前後方向に移動してずれることを防止可能することができる。さらに、係合部として端子間隔壁８を跨ぐようにして挟止する切欠部１４を形成することで、上方ケース３が下方ケース４に対して左右方向、即ち筐体２の幅方向に移動してずれることを防止することができる。
【００２７】
なお、本実施形態においては、上方ケース３には端子間隔壁８を形成しないものとした。これは、上方ケース３にわずかでも端子間隔壁８を形成してしまうと、その箇所が強度不足となり、破損する恐れがあるためである。なお、端子間隔壁８の上端は、上方ケース３の横側壁９ａの上端と略同一の高さとなるよう形成することが好ましい。端子間隔壁８の上端と横側壁９ａの上端の高さを各々ずらすものであっても良いが、端子間隔壁８の上部に図示しない端子カバー等を取り付ける場合には略同一の高さとすることが好ましい。
【００２８】
また、端子間隔壁８の先端部（詳しくは前方向または後方向へ突出した箇所）は、切欠状に形成するものとし、この先端部には図示しない端子カバーや絶縁バリア等を取付可能としても良いものとする。
【符号の説明】
【００２９】
１  開閉器
２  筐体
３  上方ケース
４  下方ケース
５  機構部
６  段違い端子部
７  ネジ孔部
８  端子間隔壁
９  横側壁
１０  凸部
１１  凹部
１２  前側壁
１３  段部
１４  切欠部
５１  開閉器
５２  横側壁
５３  端子間隔壁
５４  端子部
６１  開閉器
６２  横側壁
６３  端子間隔壁
６４  段違い端子部
【図１】
0006338497.tif 000002
【図２】
0006338497.tif 000003
【図３】
0006338497.tif 000004
【図４】
0006338497.tif 000005
【図５】
0006338497.tif 000006
【図６】
0006338497.tif 000007